(57)【要約】      （修正有）【課題】自動で、効率的かつ清潔に厨芥を処理する厨芥処理装置を提供する。【解決手段】一種の複数階建て建物に用いる厨芥処理装置であって、該複数階建て建物の各階層にそれぞれ１段を具え、または、厨芥を投入するため各段に投入口を具備するシュートと、シュート内で吸引用の負圧を生じさせることで、厨芥を吸引する負圧を生じる吸引手段、及び、前記シュートの末端まで連接し、前記シュートを経由して移送されてきた厨芥を収集するために用いる収集手段を含むことを特徴とする。【選択図】図１
0003146663.tif 000002
【実用新案登録請求の範囲】
【請求項１】
一種の複数階建て建物に用いる厨芥処理装置であって、
該複数階建て建物の各階層に１段の多段式を具え、厨芥を投入するため各段、または、数段間隔に投入口を具備するシュートと、
シュート内で吸引用の負圧を生じさせることで、厨芥を吸引する負圧を生じる吸引手段、及び、
前記シュートの末端まで連接し、前記シュートを経由して移送されてきた厨芥を収集するために用いる収集手段を含むことを特徴とする、厨芥処理装置。
【請求項２】
請求項１記載の厨芥処理装置において、前記負圧を生じる吸引手段は吸気の送風機であることを特徴とする、厨芥処理装置。
【請求項３】
請求項１記載の厨芥処理装置において、前記シュート内で排気用負圧を発生させる排風機、及び、前記シュートと相互に連接するよう設置され、前記排風機で発生した排気用負圧により前記シュート内の空気を排出する排風管を更に含むことを特徴とする、厨芥処理装置。
【請求項４】
請求項１記載の厨芥処理装置において、前記各投入口に密閉蓋を具備することを特徴とする、厨芥処理装置。
【請求項５】
請求項１記載の厨芥処理装置において、前記収集手段は密閉貯留筒で、気密蓋を具備することを特徴とする、厨芥処理装置。
【請求項６】
請求項１記載の厨芥処理装置において、前記各階層の住戸がまず厨芥を収集してから前記シュートの投入口に投入するための厨芥収納容器を更に含むことを特徴とする、厨芥処理装置。
【請求項７】
請求項６記載の厨芥処理装置において、前記厨芥収納容器が厨芥袋であることを特徴とする、厨芥処理装置。
【請求項８】
請求項６記載の厨芥処理装置において、前記厨芥収納容器が桶状、或いは、瓶状の容器であることを特徴とする、厨芥処理装置。
【請求項９】
請求項１記載の厨芥処理装置において、前記シュートの本体は耐腐食のステンレス、或いは、プラスチック管からなることを特徴とする、厨芥処理装置。
【請求項１０】
請求項６記載の厨芥処理装置において、前記厨芥収納容器は天然トウモロコシ原料、或いは、生分解性プラスチック材質からなることを特徴とする、厨芥処理装置。
【請求項１１】
請求項６記載の厨芥処理装置において、前記厨芥収納容器の内層にバイオ分解菌を吹き付けることで、厨芥の分解を加速できることを特徴とする、厨芥処理装置。
【請求項１２】
請求項１記載の厨芥処理装置において、前記収集手段にバイオ処理剤を添加するため、１つの独立投入口として設計して、収集した厨芥を有機肥料に変換できることを特徴とする、厨芥処理装置。
【請求項１３】
請求項１記載の厨芥処理装置において、前記シュートの前記各投入口そばに配置し、起動信号を発生する起動手段、及び、該起動信号を受信した時、該負圧を生じる吸引手段の運転を起動させるプロセッサーを具備する制御装置を更に含むことを特徴とする、厨芥処理装置。
【請求項１４】
請求項１３記載の厨芥処理装置において、前記制御装置は、前記収集手段内の所定高度に配置され、貯留した厨芥が前記所定高度に達した時前記プロセッサーに通知信号を生じさせる高度センサーを更に含むことを特徴とする、厨芥処理装置。
【請求項１５】
請求項１３記載の厨芥処理装置において、前記制御装置は、前記収集手段内の底部に配置され、貯留した厨芥が所定重量に達した時前記プロセッサーに別の通知信号を生じさせる重量センサーを更に含むことを特徴とする、厨芥処理装置。
【請求項１６】
一種の真空吸引・排出の厨芥処理装置であって、
厨芥を投入するため少なくとも１つの投入口を含み、厨芥を移送することに用いるシュートと、
前記シュート内において吸引用負圧を生じさせて厨芥を吸引する負圧を生じる吸引手段と、
前記シュート内において排気用負圧を生じさせる排風機、及び、該シュートと相互に連接するよう設置する排風管と、
前記シュートの末端に連接し、吸引負圧により前記シュートを経由して移送した厨芥を収集する収集手段、及び、
前記シュートの少なくとも１つの投入口そばに配置する起動手段及びプロセッサーを具備する制御装置を含み、
前記プロセッサーの制御を通じて、前記排風機を常時作動することで、前記シュート内の空気を排出でき、且つ前記負圧を生じる吸引手段が前記シュートの少なくとも１つの前記投入口で厨芥を投入する時前記起動手段を押圧または感知してから作動させることで、厨芥を吸引することを特徴とする、厨芥処理装置。
【請求項１７】
請求項１６記載の装置において、前記負圧を生じる吸引手段は吸気の送風機であることを特徴とする、装置。
【請求項１８】
請求項１６記載の装置において、前記収集手段は密閉貯留筒で、気密蓋を具備することを特徴とする、装置。
【請求項１９】
請求項１６記載の装置において、前記シュートの少なくとも１つの投入口に密閉蓋を具備することを特徴とする、装置。
【請求項２０】
請求項１６記載の装置において、前記利用者がまず厨芥を収集してから前記シュートの投入口に投入するための厨芥収納容器を更に含むことを特徴とする、装置。
【請求項２１】
請求項１６記載の装置において、前記シュートは耐腐食のステンレス、或いは、プラスチック管からなることを特徴とする、装置。
【請求項２２】
請求項２０記載の装置において、前記厨芥収納容器は天然トウモロコシ原料、或いは、生分解性プラスチック材質からなることを特徴とする、装置。
【請求項２３】
請求項２０記載の装置において、前記厨芥収納容器の内層にバイオ分解菌を吹き付けることで、厨芥を分解できることを特徴とする、装置。
【請求項２４】
請求項１６記載の装置において、前記シュートは多段式で、各段、或いは、数段間隔の投入口を具備することを特徴とする、装置。
【請求項２５】
請求項１６記載の装置において、前記収集手段にバイオ処理剤を添加するため、別の投入口を設けることで、収集した厨芥を有機肥料に変換することを特徴とする、装置。
【請求項２６】
請求項２０記載の装置において、前記厨芥収納容器が厨芥袋であることを特徴とする、装置。
【請求項２７】
請求項２０記載の装置において、前記厨芥収納容器が桶状、或いは、瓶状の容器であることを特徴とする、装置。
【請求項２８】
請求項１８記載の装置において、前記制御装置は、前記密閉貯留筒内の所定高度に配置され、貯留した厨芥が前記所定高度に達した時前記プロセッサーに通知信号を生じさせる高度センサーを更に含むことを特徴とする、装置。
【請求項２９】
請求項１８記載の装置において、前記制御装置は、前記密閉貯留筒内の底部に配置され、貯留した厨芥が所定重量に達した時前記プロセッサーに別の通知信号を生じさせる重量センサーを更に含むことを特徴とする、装置。
【考案の詳細な説明】
【技術分野】
【０００１】
本考案は、厨芥処理装置に関り、複数階建て建物或いは平屋の建物内の厨芥処理に用い、主に負圧を生じる吸引手段を提供することで、シュート内に入った厨芥を収集手段へ吸引することに関る。
【背景技術】
【０００２】
日常の家庭内の例えば厨芥（残飯）のような一般廃棄物について、一般的な観念は均しく廃棄物をゴミとして処理しているが、往々にしてこれらゴミは環境について最大の敵であり、通常私たちのゴミは均しく埋立方法で処理されてきたが、これら厨芥ゴミは、バイオガスを発生させる元凶であり、バイオガスは大気の汚染を発生させるだけでなく、更に恐ろしいこととして爆発燃焼が起き、また厨芥ゴミは更に水質汚濁が起こすことになる。国外の比較的先進国において、一般家庭では均しく厨芥粉砕機を有し、厨芥粉砕機は一種の打砕作用により、厨芥を粉砕した後、水を加えて特定配管に投入し、団地（都市）で集中処理している。逆に見れば、台湾社会は伝統と進歩の間にあり、私たちの住まい環境では、このような先進の設備が非常に少なく、一般家庭は、厨芥を一般ゴミ或いは養豚用飼料として処理してきたが、養豚農家でも環境保全の問題により、徐々に一般家庭の厨芥（残飯）を回収することがなくなった。
【０００３】
有機肥料は大量の有機物質を豊富に含み、土壌の微生物群の生長に要するエネルギーを提供でき、土壌の微生物群の活性を促すことで、生態環境のバランスを維持することができる。例えば酵母菌、放線菌、窒素固定細菌、菌根菌、リン溶解菌、硝化菌等のような善玉菌及び土壌中の酸性物質、化学肥料、農薬を分解できる分解酵素、例えば炭素、窒素、リン、カリウム、ナトリウム、マグネシウムと鉄、マンガン、亜鉛、銅等のような土壌中の植物の生長のために要する元素を高効率的に分解することで、植物の吸収を促進して、土壌の硬化を防止する。
【０００４】
有機物は微生物の分解により植物の生育に有利な有機酸、核酸、ビタミン、ホルモン抗生物質、アミノ酸、グルコース、果糖、高級アルコール、麦芽糖、乳酸、糊精等を発生して、植物に耐害虫、耐病、耐気候能力を具備させ、品質と生産量をアップできる。有機肥料は豊富な微生物を含み、土壌中に乳酸、レモン酸等の有機酸を分泌して、植物が吸収できるため、リン酸を代用でき、また不溶性の塩基性物質を分解して、植物に吸収利用させることができる。有機肥料はほとんどが植物の生長に要する全部の養分種類を提供でき、化学肥料を長期的に使用した後に現れる養分のアンバランス及び養分欠乏のような問題が発生し難い。
【０００５】
微生物を利用して厨芥を有機肥料に変えるという原理は、特定菌種（例：乳酸菌、酵母菌、光合成細菌、放線菌等）と大豆粉、糠或いは土壌等の媒質攪拌からなり、厨芥の脱臭、分解の助け及び耐酸化の機能があり、厨芥と媒質が均一に接触した後、媒質内の特定菌種を利用し、厨芥を速やかに分解して有機肥料となる。
【０００６】
東洋社会において、食物の調理方法の違い及び食物内容の差により、その厨芥或いは油成分、または各種残渣を適切に処理しなかった場合、容易に腐敗及び汚れとなって、環境を汚してしまう。既知の現有処理方法は、厨芥を無断で廃棄し、好しくはまず単独で包装してから専用の収集容器に搬送する。集中或いは自動化処理することがあまりないため、清潔、衛生上の環境要求に合致することは論じるにも及ばない。
【考案の開示】
【考案が解決しようとする課題】
【０００７】
以上の点に鑑み、本考案は例えばビル、高層ビル、マンション或いは豪邸等の複数階建て建物、若しくは屋台通り、レストラン或いはスーパーマーケットのフードコートのような平屋建物の団体環境中に用い、自動化、効率化及び清潔に厨芥を処理する一種のクリーン化し、有効的な厨芥処理装置を提供することを目的とする。
【課題を解決するための手段】
【０００８】
上述の目的を達成するため、本考案が提供する複数階建て建物に用いる厨芥処理装置は、
該複数階建て建物の各階層に１段の多段式を具え、厨芥を投入するため各段に投入口を具備するシュートと、
シュート内で吸引用の負圧を生じさせることで、厨芥を吸引する負圧を生じる吸引手段、及び、
該シュートの末端まで連接し、該シュートを経由して移送されてきた厨芥を収集するために用いる収集手段を含む。
【０００９】
本考案の厨芥処理装置において、該負圧を生じる吸引手段は吸気する送風機である。
【００１０】
本装置では排風機及び排風管を更に含み、該排風機は該シュート内で排気用負圧を発生させるために用い、該排風管は該シュートと相互に連接するように設置され、該排風機が発生した排気負圧を介して該シュート内の空気を排出することに用いる。
【００１１】
本装置内のシュート本体は耐腐食のステンレス或いはプラスチック管からなる。
【００１２】
好ましい具体的な実施例において、本装置内の該各投入口には密閉できる蓋を具備する。
【００１３】
好ましい具体的な実施例において、該収集手段は密閉式貯留筒とし、気密蓋を具備する。
【００１４】
本装置では、各階層の住戸がまず厨芥を該厨芥収納容器に収集してから、該シュートの投入口に投入するための厨芥収納容器を更に含む。好ましい具体的な実施例において、該厨芥収納容器は厨芥袋で、桶状或いは瓶状を呈する容器とすることができる。さらに好ましい具体的な実施例において、該厨芥収納容器は天然トウモロコシ原料或いは生分解性プラスチック材質からなるものとする。好適な具体的実施例において、厨芥の分解を加速するため、該厨芥収納容器の内層にバイオ分解菌を吹付けることができる。
【００１５】
厨芥袋：
本考案で用いる厨芥袋は、生分解性袋を含むものとするが、これに限定されるものではない。生分解性厨芥袋は主に食品廃棄物とその他生分解可能な廃棄物を収集する。
市販されているＢｉｏＢａｇは、１００％生分解性で、且つ原材料は例えば澱粉のような生分解性物質からなる。ＢｉｏＢａｇを使用する重要な貢献とは、温室効果ガスと酸性雨発生の減少にある。
【００１６】
本考案の装置において、収集手段にバイオ処理剤を添加することで、収集した厨芥を有機肥料に変換することに用いる。
【００１７】
本装置は、該シュートの該各投入口そばに配置し、起動信号を発生させる起動手段、及び該起動信号を受信した時、該負圧を生じる吸引手段の運転を起動させるプロセッサーを具備する制御装置を更に含む。好ましい具体的な実施例において、該制御装置は、該収集手段内の所定高度に配置され、貯留した厨芥が該所定高度に達した時該プロセッサーに通知信号を生じさせる高度センサーを更に含む。さらに、好ましい具体的な実施例において、該制御装置は、該収集手段内の底部に配置され、貯留した厨芥が所定重量に達した時該プロセッサーに別の通知信号を生じさせる重量センサーを更に含む。
【００１８】
本考案が別途提供する一種の真空吸引・排出の厨芥処理装置は、
厨芥を投入するため少なくとも１つの投入口を含み、厨芥を移送することに用いるシュートと、
該シュート内において吸引用負圧を生じさせて厨芥を吸引する負圧を生じる吸引手段と、
該シュート内において排気用負圧を生じさせる排風機及び該シュートと相互に連接するよう設置する排風管と、
該シュートの末端に連接し、吸引負圧により該シュートを経由して移送した厨芥を収集する収集手段、及び、
該シュートの少なくとも１つの投入口そばに配置する起動手段及びプロセッサーを具備する制御装置を含む。該プロセッサーの制御を通じて、該排風機を常時作動することで、該シュート内の空気を排出でき、且つ該負圧を生じる吸引手段が該シュートの少なくとも１つの該投入口で厨芥を投入する時該起動手段を押圧または感知してから作動させることで、厨芥を吸引する。
【００１９】
厨芥処理方法：
従来技術の厨芥処理方法の既知ものとして、以下のものがある。
特許文献１で開示された有機廃棄物の処理装置及び方法では、厨芥と土壌及び調整材との混合を通じ、その炭素窒素比を調整して十分な酸素を提供することで好気性微生物を繁殖させ、高温発酵後、有機廃棄物を腐熟させて堆肥を形成し、高温発酵分解で生じた臭気が別途脱臭ユニットにより脱臭され、最終的な堆肥を造粒して包装する。
【００２０】
特許文献２で開示された厨芥処理方法では、まず厨芥を粗粉砕し、また粗粉砕プロセスにおいて糖蜜で培養した発酵菌を加えてから、前述の厨芥を細粉砕し、且つ適時糖蜜で培養した発酵菌を加えて、厨芥が発酵菌を豊富に含んだペースト状を呈させることで、液体発酵を行わせ、次にこれを木屑と混合し、またこれに基づいてその含水率を約６０％以下に調整し、最終的に５〜１０日の固体発酵工程を経ることで有機肥料となることができる。
【００２１】
特許文献３で開示された快速発酵方法では、有機廃棄物の食品残滓、厨芥、有機汚泥及び動植物性残渣を収集した後、まず一時貯留槽に投入し、動作時自動的に取り出して前処理槽内に移行して挽くことで、該有機廃棄物の食品残滓の断面積を増加させ、同時に該有機廃棄物の食品残滓の余分な水分を脱水し、並びに厨芥内の塩、油、調味料等を除去してから、混合槽に移行してPH値と湿度を調整して微生物を加えた後で発酵槽に移行することで、良好な発酵条件に達し、同時に十分な空気及び発酵時に要する温度を供給し、微生物が良好な環境状態もと、急速で安定に成長させ、有機物を発酵させて有機肥料或いは土壌改良剤に製造している。
【００２２】
特許文献４では厨芥の液体プロセッサーに関り、厨芥のハイテク善玉菌によるバイオ処理法を含み、厨芥・ゴミを液状の有機肥料にさせてから、液体有機肥の取出管により外部へ導いて収集して花に水をかけ、樹栽培の再利用に供することができ、並びに環境保全、ゴミ減量の目的を達成できる。
【００２３】
特許文献５は高速発酵堆肥方法に関り、有機廃棄物を破砕し、また適切な炭素窒素比及び含水量に調整してから発酵機内に置き、反応槽内の高温（６０〜１００℃）条件を利用することで、原料内の有害微生物を消滅させ、同時に高温菌の活性をアップさせ、速やかに発酵を行わせ、また高温菌及び活性炭で組成されたＡ−Ｔ酵素の組合せたものを発酵機内に添加し、８〜２４時間以内に有機廃棄物を有機肥料に変換させることを特徴としている。
【００２４】
本考案の装置において、収集手段にバイオ処理剤を添加することで、収集した厨芥を有機肥料に変換することに用いる。
【００２５】
バイオ処理剤
本考案で用いるバイオ処理剤は、主にバイオ分解菌をメインとし、これら菌には下記の異類微生物を含むものとするが、これに限定されることはない。
1.有機肥料-窒素固定細菌：自然界の窒素分子を窒素源として固定し肥料として製造する。
2.有機肥料-硝化菌：有毒なアンモニアガスを硝酸アンモニアに変化して、植物の吸収に供給する。
3.有機肥料-リン溶解菌：土壌の不溶性リン酸塩を溶解してリン、鉄、カルシウム肥料に変換する。
4.有機肥料-酵母菌：ビタミン、成長ホルモンを製造し、有機物を分解し、耐病性を増強する。
5.有機肥料-乳酸菌：有機酸を生産し、植物の耐病性を高める。
6.有機肥料-光合成細菌：グルコースの製造、糖度増加、着色促進、硫化水素・アンモニアガス（解毒、肥料製造）の除去。
7.有機肥料-放線菌：微生物に長期的に定量の抗生物質を生産し、病害を抑制する。
8.有機肥料-植物生長促進菌種：長期に定量の植物生長ホルモンを生産し、根、茎、葉の生長を促進する。
【００２６】
好ましい具体的な実施例において、バイオ分解菌は高温菌から選択し、高温菌はバシラスステアロサーモフィラス（Ｂａｃｉｌｌｕｓ  ｓｔｅａｒｏｔｈｅｒｍｏｐｈｉｌｕｓ）、バチルス・サーモデニトリフィカンス（Ｂａｃｉｌｌｕｓ  ｔｈｅｒｍｏｄｅｎｉｔｒｉｆｉｃａｎｓ）、Ｂａｃｉｌｌｕｓ  ｔｈｅｒｍｏｇｌｕｃｏｓｉｄａｓｉｕｓ、ビフィドバクテリウム・サーモフィラム（Ｂｉｆｉｄｏｂａｃｔｅｒｉｕｍ  ｔｈｅｒｍｏｐｈｉｌｕｍ）、Ｂｒｏｃｈｏｔｈｒｉｘ  ｔｈｅｒｍｏｓｐｈａｃｔａ、メタノサルシナ・サーモフィラ（Ｍｅｔｈａｎｏｓａｒｃｉｎａ  ｔｈｅｒｍｏｐｈｉｌａ）、シュードノカルディア サーモフィラ（Ｐｓｅｕｄｏｎｏｃａｒｄｉａ  ｔｈｅｒｍｏｐｈｉｌａ）、ストレプトコッカス・サリバリウス・サブスピーシーズ・サーモフィラス（Ｓｔｒｅｐｔｏｃｏｃｃｕｓ  sａｌｉｖａｒｉｕｓ  ｓｕｂｓｐ．  tｈｅｒｍｏｐｈｉｌｕｓ）、ストレプトコッカスサーモフィルス（Ｓｔｒｅｐｔｏｃｏｃｃｕｓ  ｔｈｅｒｍｏｐｈｉｌｕｓ）、ストレプトミセスサーモトレランス（Ｓｔｒｅｐｔｏｍｙｃｅｓ  ｔｈｅｒｍｏｔｏｌｅｒａｎｓ）、ストレプトミセスサーモジアスタチカス（Ｓｔｒｅｐｔｏｍｙｃｅｓ  ｔｈｅｒｍｏｄｉａｓｔａｔｉｃｕｓ）、ストレプトミセス・サーモブルガリス（Ｓｔｒｅｐｔｏｍｙｃｅｓ  ｔｈｅｒｍｏｖｕｌｇａｒｉｓ）、ストレプトミセス・サーモヴィオラセウス（Ｓｔｒｅｐｔｏｍｙｃｅｓ  ｔｈｅｒｍｏｖｉｏｌａｃｅｕｓ）、サーモアクチノマイセス・カンジダス（Ｔｈｅｒｍｏａｃｔｉｎｏｍｙｃｅｓ  ｃａｎｄｉｄｕｓ）、サーモアクチノポリスポラｓｐ．（Ｔｈｅｒｍｏａｃｔｉｎｏｐｏｌｙｓｐｏｒａ  ｓｐ．）、中温叢形高温単?菌（Ｔｈｅｒｍｏｍｏｎｏｓｐｏｒａ  ｍｅｓｏｕｖｉｆｏｒｍｉｓ）、サーモモノスポラメソフィラ（Ｔｈｅｒｍｏｍｏｎｏｓｐｏｒａ  ｍｅｓｏｐｈｉｌａ）、サーモアクトマイセス・ブルガリス（Ｔｈｅｒｍｏａｃｔｉｎｏｍｙｃｅｓ  ｖｕｌｇａｒｉｓ）、Ｔｈｅｒｍｏａｃｔｉｎｏｍｙｃｅｓ  ｆｕｓｃａ、サーモアクチノマイセス・サルポフィルス（Ｔｈｅｒｍｏａｃｔｉｎｏｍｙｃｅｓ  ｔｈａｌｐｏｐｈｉｌｕｓ）、サーモアクチノマイセス・グラウカス（Ｔｈｅｒｍｏａｃｔｉｎｏｍｙｃｅｓ  ｇｌａｕｃｕｓ）或いはＴｈｅｒｍｏａｃｔｉｎｏｍｙｃｅｓ  ｄｉｃｈｏｔｏｍｉｃｕｓから選択する。
【００２７】
【特許文献１】中華民国特許公開第２００５３１９５号
【特許文献２】中華民国特許公開第２００７１２０３３号
【特許文献３】中華民国特許公開第２００４０６３６７号
【特許文献４】中華民国特許第００５７００４４号
【特許文献５】中華民国特許第００５０２００９号
【考案の効果】
【００２８】
本考案の厨芥処理装置は、シュートで多数の利用者が廃棄したい厨芥を集中移送し、また負圧を生じる吸引手段を利用して該シュート内の厨芥を収集容器内へ吸引し、その過程においてバイオ処理も含むため、効率化、自動化、清潔化の厨芥処理を達成でき、操作が簡単で、且つ環境保全の要求に適している。
【考案を実施するための最良の形態】
【００２９】
本考案の実施例の具体的事項は、後記の詳細説明及び図面に含まれるが、本考案は下記に開示する実施例に限定されることなく、当該技術を熟知する者が開示したものに基づいて本考案の精神を逸脱しない範囲内で多くの改変を施し得るのはもちろんである。
【００３０】
以下、添付する付属図を参照して本考案の実施形態における厨芥処理装置及び方法を詳細に説明する。
【００３１】
図１は、本考案の１実施態様の複数階建て建物に用いる厨芥処理装置を示す見取図である。いわゆる複数階建て建物とは、ビル、高層ビル、マンション或いは豪邸等の集合住宅を指す。
【００３２】
図１を参照すると、本考案では複数階建て建物に用いる厨芥処理装置１００を提供し、
その本体は耐腐食のステンレス或いはプラスチック管からなることができ、その直径を環境に基づいて定め、例えば１００〜３００ｍｍとし、該複数階建て建物の各階層に１段の多段式を具え、厨芥を投入するため各段に投入口１０３を具備し、該各投入口は臭気の漏洩を防止するため密閉蓋１０４を具備するシュート１０２と、例えば吸気の送風機で、該シュート内で吸引用負圧を発生し、つまり該シュート内で大気圧力より低い気圧を発生し、例えばシュート内を０.１〜０.８大気圧に維持することで負圧を形成して厨芥を吸引するための負圧を生じる吸引手段１０１及び該シュートの末端に連接し、吸引負圧により該シュートを経由して移送する厨芥を収集し、密閉式貯留筒とすることができ、気密蓋１０６を具備し、並びにバイオ処理剤を添加して収集した厨芥を有機肥料に変化させることができる収集手段１０５を含む。
【００３３】
本考案において、更に排風機１０７及び排風管１０８を提供でき、該排風機はシュート内で臭気を排出する働きがあるが、該負圧吸引手段の作動に影響を及ぼさないため、該シュート内で排気用負圧を生じる手段を用いることができる。これは該シュート内で該負圧を生じる吸引手段が発生した負圧より大幅に低い負圧を発生できる。例えばシュート内を０.８〜０.９９の大気圧の気圧を維持することで、負圧を形成して排風用として提供している。該排風管は該シュートと相互に連接するよう設置され、該排風機で生じる排気用負圧を通じて該排風管を経由して該シュート内の臭気を排出する。
【００３４】
当該技術を熟知する者の分かるように、該負圧を生じる吸引手段及び排風機はいずれも該シュートと相互に連接する通気ダクトを具え、通気及び厨芥の侵入防止のため、その前方に均しくフィルターを備える。
【００３５】
本考案の厨芥処理装置は、各階層の住戸がまず厨芥を該厨芥収納容器に収集してから、該シュートの投入口に投入するための厨芥収納容器１０９を更に含む。該厨芥収納容器は厨芥袋若しくは桶状または瓶状の容器とする。該厨芥収納容器は天然トウモロコシ原料或いは生分解性プラスチック材質からなることができ、厨芥の分解を加速するため、該厨芥収納容器の内層にバイオ分解菌を吹付けることができる。厨芥袋を使用することで厨芥の移送を更にスムーズにし、且つ更に衛生的になる。
【００３６】
本考案では、該シュートの該各投入口そばに配置し、起動信号を発生する起動手段１１０及び該起動手段の起動信号を受信した後、該負圧を生じる吸引手段の運転を起動させるプロセッサー１１１を具備する制御装置（図内に未表示）を更に含む。その他、該制御装置は、該密閉貯留筒内の所定高度に配置され、貯留した厨芥が該所定高度に達した時該プロセッサーに通知信号を生じさせる高度センサー１１２を更に含む。且つ該制御装置は、該密閉貯留筒内の底部に配置され、貯留した厨芥が所定重量に達した時該プロセッサーに通知信号を生じさせてビル管理員及び／或いはビル住戸に知らせる重量センサー１１３を更に含む。当該技術を熟知する者の分かるように、該制御装置は本装置を制御する電子モジュールで、その設計は需要によって異なる設計を行うことができ、例えばこれは該排風機の常時作動を制御することで、該シュート内空気の新鮮を維持し、並びに１階層の住戸が該起動手段にタッチした時該負圧を生じる吸引手段を作動させて厨芥を吸引するよう設計できる。また本装置の作動を起動する時、起動手段の起動の必要なく該負圧を生じる吸引手段の常時作動を維持できるような設計もできる。
【００３７】
その他、当該技術を熟知する者でも分かるように、厨芥をシュートの投入口に入れた後、重力加速度によって前進する以外に、シュート内の吸引負圧により、シュートにカーブ（実際に配置する時、ほとんど発生する）があったとしてもその内で移送する厨芥を吸引して収集手段内へスムーズに前進させることができる。
【００３８】
図２は本考案の１実施態様の平屋建物内に用いる厨芥処理装置を示す見取図である。いわゆる平屋建物とは、屋台通り、スーパーマーケットフードコート、レストラン（二階以上もこれに含む）、ショッピングモールなどの建物を指す。
【００３９】
図２を参考にすると、本考案では平屋建物に用いる厨芥処理装置２００を提供し、これには、
その本体は耐腐食のステンレス或いはプラスチック管からなることができ、その直径は使用環境に基づいて定め、例えば１００〜３００ｍｍとすることができ、１段以上の多段式を具え、厨芥を投入するため各段または数段間隔で投入口２０３を設計でき、該各投入口は臭気漏洩を防止するため密閉蓋２０４を具備するシュート２０２と、例えは吸気の送風機で、該シュート内で吸引用負圧を発生し、つまり該シュート内において大気圧力より低い気圧を発生し、例えばシュート内を０.１〜０.８大気圧に維持することで負圧を形成して厨芥を吸引するための負圧を生じる吸引手段２０１及び該シュートの末端に連接し、負圧により該シュートを経由して移送する厨芥を収集し、密閉式貯留筒とすることができ、気密蓋２０６を具備し、独立した投入口として設計でき、並びにバイオ処理剤を添加して収集した厨芥を有機肥料に変化することができる収集手段２０５を含む。
【００４０】
本考案において、更に排風機２０７及び排風管２０８を提供できる。前述のとおり、該排風機はシュート内で臭気を排出する働きがあるが、該負圧吸引手段の作動に影響を及ぼさないため、該シュート内で排気用負圧を生じる手段に用いることができる。例えばシュート内で０.８〜０.９９大気圧の気圧を維持することで、負圧を形成して排気用と提供する。該排風管は該シュートと相互に連接するよう設置され、該排風機で生じる排気用負圧を通じて該排風管を経由して該シュート内の臭気を排出する。排風装置は一般的に２４時間持続的に作動する。
【００４１】
本考案の厨芥処理装置は、各段の利用者がまず厨芥を該厨芥収納容器に収集してから、該シュートの投入口に投入するための厨芥収納容器２０９を更に含む。該厨芥収納容器は厨芥袋若しくは桶状または瓶状の容器とする。該厨芥収納容器は天然トウモロコシ原料或いは生分解性プラスチック材質からなり、厨芥の分解を加速するため、該厨芥収納容器の内層にバイオ分解菌を吹付けることができる。
【００４２】
本考案では、該シュートの該各投入口そばに配置し、起動信号を発生する起動手段２１０及び該起動手段の起動信号を受信した後、該負圧を生じる吸引手段の運転を起動させるプロセッサー２１１を具備する制御装置（図内に未表示）を更に含む。その他、該制御装置は、該密閉貯留筒内の所定高度に配置され、貯留した厨芥が該所定高度に達した時該プロセッサーに通知信号を生じさせて利用者に知らせる高度センサー２１２を更に含む。且つ該制御装置は、該密閉貯留筒内の底部に配置され、貯留した厨芥が所定重量に達した時該プロセッサーに別の通知信号を生じさせて利用者に知らせる重量センサー２１３を更に含む。
【００４３】
本考案のこの実施例において、その排風機と排風管及び制御装置を同時に組み合わせて使用できる。つまり制御装置は、該排風機の常時稼動を制御することで、該シュート内空気の新鮮性を維持でき、並びに利用者が起動手段にタッチした後、該負圧を生じる吸引手段を稼動させて吸引用負圧を発生して厨芥を収集手段へ吸引することで、平屋建物（例えばレストラン、夜市、スーパーマーケットフードコート等）の使用に利便性を与える。
【図面の簡単な説明】
【００４４】
【図１】本考案の１実施態様の複数階建て建物に用いる厨芥処理装置を示す見取図である。
【図２】本考案の１実施態様の平屋建物内に用いる厨芥処理装置を示す見取図である。
【符号の説明】
【００４５】
１００、２００  厨芥処理装置
１０１、２０１  負圧を生じる吸引手段
１０２、２０２  シュート
１０３、２０３  投入口
１０４、２０４  投入口の蓋
１０５、２０５  収集手段（貯留筒）
１０６、２０６  貯留筒の蓋
１０７、２０７  排風機
１０８、２０８  排風管
１０９、２０９  厨芥収納容器
１１０、２１０  起動手段
１１１、２１１  プロセッサー
１１２、２１２  高度センサー
１１３、２１３  重量センサー
【図１】
0003146663.tif 000003
【図２】
0003146663.tif 000004
【手続補正書】
【提出日】平成20年9月16日(2008.9.16)
【手続補正１】
【補正対象書類名】実用新案登録請求の範囲
【補正対象項目名】全文
【補正方法】変更
【補正の内容】
【実用新案登録請求の範囲】
【請求項１】
一種の複数階建て建物に用いる厨芥処理装置であって、該複数階建て建物の各階層にそれぞれ１段を具え、または、厨芥を投入するため各段に投入口を具備するシュートと、シュート内で吸引用の負圧を生じさせることで、厨芥を吸引する負圧を生じる吸引手段、及び、前記シュートの末端まで連接し、前記シュートを経由して移送されてきた厨芥を収集するために用いる収集手段を含むことを特徴とする、厨芥処理装置。
【請求項２】
請求項１記載の厨芥処理装置において、前記負圧を生じる吸引手段は吸気の送風機であることを特徴とする、厨芥処理装置。
【請求項３】
請求項１記載の厨芥処理装置において、前記シュート内で排気用負圧を発生させる排風機、及び、前記シュートと相互に連接するよう設置され、前記排風機で発生した排気用負圧により前記シュート内の空気を排出する排風管を更に含むことを特徴とする、厨芥処理装置。
【請求項４】
請求項１記載の厨芥処理装置において、前記各投入口に密閉蓋を具備することを特徴とする、厨芥処理装置。
【請求項５】
請求項１記載の厨芥処理装置において、前記収集手段は密閉貯留筒で、気密蓋を具備することを特徴とする、厨芥処理装置。
【請求項６】
請求項１記載の厨芥処理装置において、前記各階層の住戸がまず厨芥を収集してから前記シュートの投入口に投入するための厨芥収納容器を更に含むことを特徴とする、厨芥処理装置。
【請求項７】
請求項６記載の厨芥処理装置において、前記厨芥収納容器が厨芥袋であることを特徴とする、厨芥処理装置。
【請求項８】
請求項６記載の厨芥処理装置において、前記厨芥収納容器が桶状、或いは、瓶状の容器であることを特徴とする、厨芥処理装置。
【請求項９】
請求項１記載の厨芥処理装置において、前記シュートの本体は耐腐食のステンレス、或いは、プラスチック管からなることを特徴とする、厨芥処理装置。
【請求項１０】
請求項６記載の厨芥処理装置において、前記厨芥収納容器は天然トウモロコシ原料、或いは、生分解性プラスチック材質からなることを特徴とする、厨芥処理装置。
【請求項１１】
請求項６記載の厨芥処理装置において、前記厨芥収納容器の内層にバイオ分解菌を吹き付けることで、厨芥の分解を加速できることを特徴とする、厨芥処理装置。
【請求項１２】
請求項１記載の厨芥処理装置において、前記収集手段にバイオ処理剤を添加するため、１つの独立投入口として設計して、収集した厨芥を有機肥料に変換できることを特徴とする、厨芥処理装置。
【請求項１３】
請求項１記載の厨芥処理装置において、前記シュートの前記各投入口そばに配置し、起動信号を発生する起動手段、及び、該起動信号を受信した時、該負圧を生じる吸引手段の運転を起動させるプロセッサーを具備する制御装置を更に含むことを特徴とする、厨芥処理装置。
【請求項１４】
請求項１３記載の厨芥処理装置において、前記制御装置は、前記収集手段内の所定高度に配置され、貯留した厨芥が前記所定高度に達した時前記プロセッサーに通知信号を生じさせる高度センサーを更に含むことを特徴とする、厨芥処理装置。
【請求項１５】
請求項１３記載の厨芥処理装置において、前記制御装置は、前記収集手段内の底部に配置され、貯留した厨芥が所定重量に達した時前記プロセッサーに別の通知信号を生じさせる重量センサーを更に含むことを特徴とする、厨芥処理装置。
【請求項１６】
一種の真空吸引・排出の厨芥処理装置であって、
厨芥を投入するため少なくとも１つの投入口を含み、厨芥を移送することに用いるシュートと、
前記シュート内において吸引用負圧を生じさせて厨芥を吸引する負圧を生じる吸引手段と、
前記シュート内において排気用負圧を生じさせる排風機、及び、該シュートと相互に連接するよう設置する排風管と、
前記シュートの末端に連接し、吸引負圧により前記シュートを経由して移送した厨芥を収集する収集手段、及び、
前記シュートの少なくとも１つの投入口そばに配置する起動手段及びプロセッサーを具備する制御装置を含み、
前記プロセッサーの制御を通じて、前記排風機を常時作動することで、前記シュート内の空気を排出でき、且つ前記負圧を生じる吸引手段が前記シュートの少なくとも１つの前記投入口で厨芥を投入する時前記起動手段を押圧または感知してから作動させることで、厨芥を吸引することを特徴とする、厨芥処理装置。
【請求項１７】
請求項１６記載の装置において、前記負圧を生じる吸引手段は吸気の送風機であることを特徴とする、装置。
【請求項１８】
請求項１６記載の装置において、前記収集手段は密閉貯留筒で、気密蓋を具備することを特徴とする、装置。
【請求項１９】
請求項１６記載の装置において、前記シュートの少なくとも１つの投入口に密閉蓋を具備することを特徴とする、装置。
【請求項２０】
請求項１６記載の装置において、前記利用者がまず厨芥を収集してから前記シュートの投入口に投入するための厨芥収納容器を更に含むことを特徴とする、装置。
【請求項２１】
請求項１６記載の装置において、前記シュートは耐腐食のステンレス、或いは、プラスチック管からなることを特徴とする、装置。
【請求項２２】
請求項２０記載の装置において、前記厨芥収納容器は天然トウモロコシ原料、或いは、生分解性プラスチック材質からなることを特徴とする、装置。
【請求項２３】
請求項２０記載の装置において、前記厨芥収納容器の内層にバイオ分解菌を吹き付けることで、厨芥を分解できることを特徴とする、装置。
【請求項２４】
請求項１６記載の装置において、前記シュートは多段式で、各段、或いは、数段間隔の投入口を具備することを特徴とする、装置。
【請求項２５】
請求項１６記載の装置において、前記収集手段にバイオ処理剤を添加するため、別の投入口を設けることで、収集した厨芥を有機肥料に変換することを特徴とする、装置。
【請求項２６】
請求項２０記載の装置において、前記厨芥収納容器が厨芥袋であることを特徴とする、装置。
【請求項２７】
請求項２０記載の装置において、前記厨芥収納容器が桶状、或いは、瓶状の容器であることを特徴とする、装置。
【請求項２８】
請求項１８記載の装置において、前記制御装置は、前記密閉貯留筒内の所定高度に配置され、貯留した厨芥が前記所定高度に達した時前記プロセッサーに通知信号を生じさせる高度センサーを更に含むことを特徴とする、装置。
【請求項２９】
請求項１８記載の装置において、前記制御装置は、前記密閉貯留筒内の底部に配置され、貯留した厨芥が所定重量に達した時前記プロセッサーに別の通知信号を生じさせる重量センサーを更に含むことを特徴とする、装置。